(57)【要約】  貯蔵品を貯蔵する貯蔵室、及び貯蔵室に連通する第１の風路及び第２の風路とが形成された冷蔵庫本体と、冷蔵庫本体に配置された冷却器と、冷蔵庫本体に配置され、冷却器で冷却される空気を第１の風路及び第２の風路に供給する冷却ファンと、第１の風路に配置され、第１の風路を流れる冷気の流量の調整を行う第１のダンパーと、貯蔵室の温度を検出する温度検出センサーと、温度検出センサーの検出温度に基づいて、第１のダンパーを制御する制御装置と、を備えたものである。
2017094058.tif 000002
【特許請求の範囲】
【請求項１】
貯蔵品を貯蔵する貯蔵室、及び前記貯蔵室に連通する第１の風路及び第２の風路とが形成された冷蔵庫本体と、
前記冷蔵庫本体に配置された冷却器と、
前記冷蔵庫本体に配置され、前記冷却器で冷却される空気を前記第１の風路及び前記第２の風路に供給する冷却ファンと、
前記第１の風路に配置され、前記第１の風路を流れる冷気の流量の調整を行う第１のダンパーと、
前記貯蔵室の温度を検出する温度検出センサーと、
前記温度検出センサーの検出温度に基づいて、前記第１のダンパーを制御する制御装置と、
を備えた
冷蔵庫。
【請求項２】
前記第２の風路に配置され、前記第２の風路を流れる冷気の流量の調整を行う第２のダンパーをさらに備え、
前記制御装置は、
前記温度検出センサーの検出温度に基づいて、前記第１のダンパー及び前記第２のダンパーを個別に制御する
請求項１に記載の冷蔵庫。
【請求項３】
前記制御装置は、
前記貯蔵室の温度が予め設定された第１の温度以下である場合には、前記第１のダンパーだけを開き、前記第２のダンパーを閉じ、
前記貯蔵室の温度が前記第１の温度よりも高い場合には、前記第１のダンパー及び前記第２のダンパーのいずれも開く
請求項２に記載の冷蔵庫。
【請求項４】
前記制御装置は、
前記貯蔵室の温度が前記第１の温度よりも高い場合において、前記貯蔵室の扉が開いた状態であるときには、前記貯蔵室の扉が閉じてから、前記第１のダンパー及び前記第２のダンパーのいずれも開く
請求項３に記載の冷蔵庫。
【請求項５】
前記制御装置は、
前記第１のダンパーを開き、前記第２のダンパーを閉じている状態が予め定められた期間継続している場合には、前記第２のダンパーも開く
請求項３又は４に記載の冷蔵庫。
【請求項６】
前記貯蔵室は、
冷蔵室を含み、
前記冷蔵室は、
前記貯蔵品を過冷却状態にするスライド室を含み、
前記スライド室は、
前記第１の風路及び前記第２の風路が接続され、前記第１の風路及び前記第２の風路に連通している
請求項１〜５のいずれか一項に記載の冷蔵庫。
【発明の詳細な説明】
【技術分野】
【０００１】
本発明は、冷蔵庫に関し、特に、貯蔵室に冷気を供給するのに用いられる構造に関するものである。
【背景技術】
【０００２】
冷蔵庫には、貯蔵品を貯蔵する空間が形成された貯蔵室が形成されている。冷蔵庫には、貯蔵品を冷蔵して保存する冷蔵室だけでなく、貯蔵品を過冷却状態にして保存する保冷室（スライド室）を備えたものが提案されている（例えば、特許文献１参照）。貯蔵品を過冷却状態にしておくと、貯蔵品の品質の低下を抑制することができる。
【先行技術文献】
【特許文献】
【０００３】
【特許文献１】特許第４９４８５６２号公報
【発明の概要】
【発明が解決しようとする課題】
【０００４】
貯蔵室は、必要となる冷気の量が状況に応じて変わる。例えば、貯蔵室の扉を開けば、貯蔵室内に熱が流入するため、より多くの冷気が必要となる。また、貯蔵室が保冷室である場合には、貯蔵品を過冷却状態にできるように、保冷室に供給される冷気量の調整が必要となる。【０００５】
本発明は、上記のような課題を解決するためになされたもので、冷却ファンの回転数を変えなくても、貯蔵室において冷気不足が生じにくい冷蔵庫を提供することを目的としている。
【課題を解決するための手段】
【０００６】
本発明に係る冷蔵庫は、貯蔵品を貯蔵する貯蔵室、及び貯蔵室に連通する第１の風路及び第２の風路とが形成された冷蔵庫本体と、冷蔵庫本体に配置された冷却器と、冷蔵庫本体に配置され、冷却器で冷却される空気を第１の風路及び第２の風路に供給する冷却ファンと、第１の風路に配置され、第１の風路を流れる冷気の流量の調整を行う第１のダンパーと、貯蔵室の温度を検出する温度検出センサーと、温度検出センサーの検出温度に基づいて、第１のダンパーを制御する制御装置と、を備えたものである。
【発明の効果】
【０００７】
本発明に係る冷蔵庫によれば、貯蔵室に連通する第２の風路より貯蔵室に冷気が供給される。また、貯蔵室で冷気不足が生じると、第１の風路の第１のダンパーを制御して、第１の風路から貯蔵室に冷気が供給される。このため、貯蔵室において冷気不足が生じにくくなっている。
【図面の簡単な説明】
【０００８】
【図１】本発明の実施の形態１に係る冷蔵庫の正面図である。
【図２】本発明の実施の形態１に係る冷蔵庫を示す斜視図である。
【図３】本発明の実施の形態１に係る冷蔵庫の鉛直断面図である。
【図４】本発明の実施の形態１に係る冷蔵庫の変形例である。
【図５】本発明の実施の形態１に係る冷蔵庫の冷気風路を示す水平断面図である。
【図６】図３に示す冷蔵庫の風路構成と冷気の流れ（図中矢印）を示す斜視図である。
【図７】本発明の実施の形態１に係る冷蔵庫の貯蔵品の温度遷移イメージ図である。
【図８】本発明の実施の形態１に係る冷蔵庫１００のスライド室の温度の推移と第１のダンパーと第２のダンパーの開閉状態の時間推移の一例である。
【図９】図８とは異なる時間推移の一例である。
【図１０】本発明の実施の形態２に係る冷蔵庫の冷気風路を示す鉛直断面図である。
【図１１】図１０に示す冷蔵庫の風路構成と冷気の流れ（図中矢印）を示す斜視図である。
【図１２】本発明の実施の形態３に係る冷蔵庫の風路構成と冷気の流れ（図中矢印）を示す斜視図である。
【発明を実施するための形態】
【０００９】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は、実施の形態１に係る冷蔵庫１００の正面図である。図２は、実施の形態１に係る冷蔵庫１００を示す斜視図である。図３は、実施の形態１に係る冷蔵庫１００の鉛直断面図である。
【００１１】
［全体構成の説明］
冷蔵庫１００は、貯蔵品を貯蔵する貯蔵室が形成された冷蔵庫箱体６を備えている。冷蔵庫箱体６は、例えば、内箱、内箱の外側に位置する外箱、及び、内箱と外箱との間に配置された断熱材等から構成される。
冷蔵庫箱体６には、冷蔵室１Ａ、製氷室（図示省略）、切替室３Ａ、冷凍室４Ａ及び野菜室５Ａが形成されている。冷蔵室１Ａの前面には冷蔵室扉１が配置され、製氷室の前面には製氷室扉２が配置され、切替室３Ａの前面には切替室扉３が配置され、冷凍室４Ａの前面には冷凍室扉４が配置され、野菜室５Ａの前面には野菜室扉５が配置されている。また、冷蔵庫箱体６には、後述する第１の風路１８、第２の風路２７及び第３の風路１７等を形成する風路構成部品７が配置されている。風路構成部品７は、冷蔵室１Ａ、製氷室、切替室３Ａ及び冷凍室４Ａの背面側に配置されている。
【００１２】
冷蔵室１Ａには、貯蔵品を載置する複数の棚８が配置されている。棚８は、平板状部材であり、水平面に平行である。冷蔵室１Ａには、冷蔵室扉１がしまっている状態において、貯蔵品を載置する複数のドアポケット３０が配置されている。ドアポケット３０は、冷蔵室扉１に取り付けられている。冷蔵室１Ａには、氷を生成するのに用いる水が貯留される製氷用水タンク１０が配置されている。製氷用水タンク１０は、冷蔵室１Ａの底面であって、後述するスライド室１１の側方に配置されている。
【００１３】
冷蔵室１Ａには、第１の室、第２の室及び第３の室を含む。第１の室は、棚８等が配置されるとともに、冷蔵室扉１がしまっている状態においてドアポケット３０が配置されている空間を形成する。第２の室は、一番下の棚８の下に配置されたスライド室９である。第３の室は、スライド室９の下に配置されたスライド室１１である。冷蔵室１Ａは、第１の室に対して、第２の室及び第３の室が区画されている。このため、第２の室及び第３の室は、第１の室に対して異なる温度環境を実現することができるようになっている。なお、第２の室と第３の室とについても、区画されている。なお、スライド室１１は、前後に引き出すことができる引き出し式ケースを備えている。スライド室９も、前後に引き出すことができる引き出し式ケースを備えている。
【００１４】
製氷室には氷を生成する図示省略の製氷装置が配置されている。切替室３Ａには、貯蔵品を載置する切替室ケース１２が配置されている。また、冷凍室４Ａには、貯蔵品を載置する冷凍室ケース１３と、冷凍室ケース１３の下に配置された冷凍室ケース１４とが配置されている。さらに、野菜室５Ａには、貯蔵品を載置する野菜室ケース１５及び野菜室ケース１６が配置されている。
【００１５】
冷蔵庫１００の冷蔵庫箱体６には、冷媒を圧縮する圧縮機２４と、蒸発器として機能する熱交換器２１とが搭載されている。圧縮機２４は、冷蔵庫箱体６の底部に配置されている。熱交換器２１は、冷蔵庫１００における冷却器であり、圧縮機２４よりも上に配置されている。また、図示は省略しているが、冷蔵庫１００には、例えば、放熱器として機能する放熱パイプ及び冷媒を減圧させる減圧機構が搭載されている。そして、冷蔵庫１００は、圧縮機２４と放熱パイプと減圧機構と熱交換器２１とが接続されて構成された冷凍サイクルを備えている。減圧機構は、例えば、キャピラリーチューブ等を採用することができる。
【００１６】
冷蔵庫１００の冷蔵庫箱体６には、熱交換器２１に形成された霜を除去するヒータ２２と、熱交換器２１で冷却された空気（冷気）を冷蔵室１Ａ等の各室に供給する冷却ファン２０とが搭載されている。ヒータ２２は、熱交換器２１の下に配置されている。冷却ファン２０は、熱交換器２１の上に配置されている。なお、冷蔵庫１００には、熱交換器２１等から流れ落ちた水が流れるドレン用パイプ２３が搭載されている。
【００１７】
冷蔵庫１００には、スライド室９の温度を検出する温度検出センサー２５（図５参照）と、温度検出センサー２５の検出温度に基づいて、冷却ファン２０の回転数及び後述する第１のダンパー１９及び第２のダンパー２９の開閉等を制御する制御装置５０とが搭載されている。温度検出センサー２５は、例えば、サーミスタ等から構成することができる。制御装置５０は、圧縮機２４の運転、停止、回転数の制御等も行うものであり、例えば、マイコンが実装された制御基板等から構成される。
【００１８】
図４は、実施の形態１に係る冷蔵庫の変形例である。図３では、冷蔵庫１００の冷蔵室１Ａに複数のスライド室が配置されている場合について説明したが、それに限定されるものではない。図４に示すように、冷蔵室１Ａには、スライド室９がなく、スライド室１１だけが配置されていてもよい。つまり、第１の室及び第３の室が設けられ、第２の室がない構成である。また、冷蔵室１Ａには、３つ以上のスライド室が配置されていてもよい。
【００１９】
［冷蔵庫１００の風路構成等］
図５は、本発明の実施の形態１に係る冷蔵庫１００の冷気風路を示す水平断面図である。図６は、図３に示す冷蔵庫１００の風路構成と冷気の流れ（図中矢印）を示す斜視図である。図６では、冷蔵室１Ａ、製氷室、切替室３Ａ、冷凍室４Ａ及び野菜室５Ａの背面部分を取り外した状態を示している。また、図６では、スライド室１１は取り付けているが、棚８等は取り外した状態を示している。さらに、図５及び図６では、第１のダンパー１９を通過した冷気ＦＬ１及び第２のダンパーを通過した冷気ＦＬ２を示している。前述の図３に加えて図５及び図６を参照して冷蔵庫１００の風路構成等について説明する。
実施の形態１では、冷却ファン２０が運転している場合には、冷気がスライド室９に常時供給される。一方、スライド室１１では、冷気が供給されるかどうかが切り替えられる構成となっている。
【００２０】
冷蔵庫１００には、冷却ファン２０等が設置される設置空間Ｓと、冷却ファン２０により供給される空気が流れる第１の風路１８、第２の風路２７及び第３の風路１７とが形成されている。また、冷蔵庫１００は、第１の風路１８を流れる冷気（空気）の流量の調整を行う第１のダンパー１９と、第２の風路２７を流れる冷気（空気）の流量の調整を行う第２のダンパー２９とを備えている。なお、制御装置５０は、温度検出センサー２５の検出温度に基づいて、第１のダンパー１９及び第２のダンパー２９を個別に制御する。
【００２１】
設置空間Ｓは、例えば、冷蔵庫箱体６の背面よりも前側であって貯蔵室よりも背面側に形成されている。実施の形態１では、設置空間Ｓは、切替室３Ａ及び冷凍室４Ａの背面側に形成されている。設置空間Ｓには、下から順番に、ヒータ２２、熱交換器２１、及び冷却ファン２０が配置されている。
【００２２】
第１の風路１８は、設置空間Ｓとスライド室１１とを連通する風路である。第１の風路１８は、上下方向に延びるように形成されている。第１の風路１８の上流側の部分には、第１のダンパー１９が配置されている。つまり、第１の風路１８の入口の部分には、第１のダンパー１９が配置されている。第１の風路１８には、出口となる第１の吹出口２６が形成されている。すなわち、第１の風路１８には、冷気をスライド室１１に吹き出す第１の吹出口２６が形成されている。第１のダンパー１９が開いているときには、第１の風路１８からスライド室１１に冷気が供給される。なお、図３では、第１の風路１８における空気の流れＡＲが示されている。このように、第１の風路１８をとおった冷気は、スライド室１１に供給される。第１のダンパー１９が閉じているときには、第１の風路１８からスライド室１１に冷気が供給されない。
【００２３】
第２の風路２７は、第１の風路１８とは独立した風路である。また、第２の風路２７は、第３の風路１７とも独立した風路である。第２の風路２７は、設置空間Ｓとスライド室１１とを連通する風路である。第２の風路２７は、上下方向に延びるように形成されている。そして、第２の風路２７は、第１の風路１８及び第３の風路１７に併設されている。冷蔵庫１００を水平断面視したときにおいて、第３の風路１７は、第１の風路１８と第２の風路２７との間に配置されている。また、冷蔵庫１００を正面側から見たときに、第２の風路２７は、第１の風路１８よりも右側に配置されている。第２の風路２７の上流側の部分には、第２のダンパー２９が配置されている。つまり、第２の風路２７の入口の部分には、第２のダンパー２９が配置されている。第２の風路２７には、出口となる第２の吹出口２８が形成されている。すなわち、第２の風路２７には、冷気をスライド室１１に吹き出す第２の吹出口２８が形成されている。第２のダンパー２９が開いているときには、第２の風路２７からスライド室１１に冷気が供給される。第２のダンパー２９が閉じているときには、第２の風路２７からスライド室１１に冷気が供給されない。
【００２４】
第３の風路１７は、設置空間Ｓと冷蔵室１Ａの第１の室とを連通するとともに、設置空間Ｓと冷蔵室１Ａの第２の室であるスライド室９とを連通する風路である。第３の風路１７は、上下方向に延びるように形成されている。なお、第３の風路１７の方が、第１の風路１８及び第２の風路２７よりも全長が長い。第３の風路１７には、特に、ダンパーといった風量を調整する手段は設けられていない。このため、冷却ファン２０が運転している場合には、常時、冷却ファン２０から搬送された空気が、第３の風路１７をとおって冷蔵室１Ａの第１の室及び第２の室であるスライド室９に供給される。第３の風路１７には、出口となる冷蔵室吹出口４５が複数形成されている。
【００２５】
［第１のダンパー１９及び第２のダンパー２９の動作等］
図７は、実施の形態１に係る冷蔵庫１００の貯蔵品の温度遷移イメージ図である。第１のダンパー１９と第２のダンパー２９は、温度検出センサー２５の検出温度をもとに開閉動作を行う。制御装置５０は、予め設定された第１の温度θ０よりも温度検出センサー２５の検出温度の方が高ければ第１のダンパー１９を開き、予め設定された第１の温度θ０よりも温度検出センサー２５の検出温度の方が低ければ第１のダンパー１９を閉じる。また、下記に示すような２つのケースを除き、基本的には第１のダンパー１９のみでスライド室１１の温度制御を行うとよい。
【００２６】
（１つ目のケース）
図８は、実施の形態１に係る冷蔵庫１００のスライド室１１の温度の推移と第１のダンパー１９と第２のダンパー２９の開閉状態の時間推移の一例である。制御装置５０は、温度検出センサー２５の検出温度が、予め設定された第１の温度θ０（例えば０℃）以下の場合は、第１のダンパー１９のみの開閉でスライド室１１内の温度制御を行う。制御装置５０は、温度検出センサー２５の検出温度が、予め設定された第１の温度θ０以上になった場合は、第１のダンパー１９と第２のダンパー２９の両方を開閉してスライド室１１内の温度制御を行う。このように両ダンパーの開閉を実施するのは、冷却能力が不足していると想定されるからである。このとき、第２のダンパー２９の開閉タイミングは、第１のダンパー１９の開閉タイミングに合わせる。
【００２７】
例えば、時間Ｔ１にユーザーが冷蔵室扉１とスライド室１１を開けて貯蔵品を取り出し、時間Ｔ２にスライド室１１の温度が予め設定された第２の温度θ１（例えば１５℃）になったとする。その後、ユーザーは、時間Ｔ２にスライド室１１を閉め、時間Ｔ３に冷蔵室扉１を閉めたとする。この場合には、ユーザーが冷蔵室扉１を閉めてから第１のダンパー１９と第２のダンパー２９の両方での温度制御を行う。そして、予め設定された第１の温度θ０に到達した時間Ｔ４からは第１のダンパー１９のみでの温度制御に戻る。
【００２８】
（２つ目のケース）
図９は、図８とは異なる時間推移の一例である。制御装置５０は、温度検出センサー２５検出温度が予め設定された第１の温度θ０以上であり、かつ、予め定められた第１の期間（例えば６０秒）、第１のダンパー１９だけが開の状態が継続している場合には、第１のダンパー１９と第２のダンパー２９の両方を開閉してスライド室１１内の温度制御を行う。このように両ダンパーの開閉を実施するのは、冷却能力が不足していると想定されるからである。このとき、第２のダンパー２９の開閉タイミングは第１のダンパー１９の開閉タイミングに合わせる。
【００２９】
例えば、時間Ｔ１に他室（例えば、冷凍室４Ａ等）のダンパーが開き、スライド室１１に流入する冷気が不足したとする。この場合は、時間Ｔ１から第１のダンパー１９が開になっているのにも関わらずスライド室１１の温度が下がらないという状態である。そこで、制御装置５０は、第１のダンパー１９の開状態が、予め定められた第１の期間（時間Ｔ１から時間Ｔ２までの間）継続した時点で、第２のダンパー２９も開く。第２のダンパー２９は、予め定められた第２の期間だけ開く。ここで、第２の期間は、図９において、時間Ｔ２から時間Ｔ３までの間に対応している。制御装置５０は、この第２の期間が経過後は、第２のダンパー２９を閉じ、第１のダンパー１９のみでの温度制御に戻る。他にも、スライド室１１に温度が高い貯蔵品などが入れられ、冷気が不足した場合も同様の方式で対処する。
【００３０】
［実施の形態１に係る冷蔵庫１００の有する効果］
実施の形態１に係る冷蔵庫１００は、第１の風路１８に配置され、第１の風路１８を流れる冷気の流量の調整を行う第１のダンパー１９と、第２の風路２７に配置され、第２の風路２７を流れる冷気の流量の調整を行う第２のダンパー２９とを備えている。そして、第１の風路１８及び第２の風路２７は、貯蔵室のうちの一つであるスライド室９に連通している。また、制御装置５０は、温度検出センサー２５の検出温度に基づいて、第１のダンパー１９及び第２のダンパー２９を個別に制御する。
実施の形態１に係る冷蔵庫１００は、上述の構成を採用しているため、第１のダンパー１９及び第２のダンパー２９が両方とも閉の状態、第１のダンパー１９及び第２のダンパー２９のうちの一方だけ開の状態、及び、第１のダンパー１９及び第２のダンパー２９が両方とも開の状態を実現できる。このため、スライド室１１へ供給する冷気量のバリエーションが多くなっており、よりきめ細やかに、貯蔵品の温度管理ができる。
【００３１】
実施の形態１に係る冷蔵庫１００は、スライド室１１で冷気不足が生じると、第１のダンパー１９に加えて第２のダンパー２９を開き、第２の風路２７からもスライド室１１に冷気を供給することができる。このため、スライド室１１において冷気不足が生じにくくなっている。
【００３２】
例えば、常温の貯蔵品がスライド室１１内に投入された場合、及びスライド室１１を長時間開けっぱなしにした場合等において、スライド室１１の温度が上昇してしまっても、第１のダンパー１９に加えて第２のダンパーを開き、スライド室１１への冷気の供給量を増大させることができる。このため、スライド室１１内の貯蔵品を予め定められた適正な温度領域まで、すばやく冷却できる。
特に、スライド室１１が、貯蔵品を過冷却保存する室である場合には、高品質及び長期間の貯蔵品保存を実現することができる。つまり、冷蔵庫１００では、スライド室１１に、過冷却状態をつくりだすための条件を満たすような静穏な温度環境をすみやかに実現できる。
【００３３】
貯蔵品はその保存中の平均温度が低温であればあるほど組織の経時劣化を抑えることができる。反対に貯蔵品の平均温度が高ければ、品質が一定以上の状態で貯蔵品を保存することができる期間が短くなってしまう。
【００３４】
また、それだけでなく、例えば冷却ファンを１つしかもたない冷蔵庫１００の場合には、スライド室１１内の温度が上昇していなくても、他の室（例えば冷蔵室１Ａの第１の室及び切替室３Ａ等）の温度が上昇した場合には、そちらの室に流れ込む冷気の量が多くなってしまうことがある。そうすると、スライド室１１の方に分配される冷気が不足してしまう。なお、例えば冷却ファン２０の回転数を上げる、又は熱交換器２１の温度を下げ冷気温度を下げるという対処方法が考えられる。しかし、前者では、スライド室１１のダンパーサイズが小さい場合には、冷気がやはり不足することになるし、消費電力も増大してしまうというデメリットがある。また、後者では、熱交換器２１の温度制御を時間単位できめ細やかに実施することは難しいというデメリットがある。実施の形態１に係る冷蔵庫１００では、こういったデメリットを回避する構成を採用し、スライド室１１において冷気不足が生じにくくなっている。
【００３５】
実施の形態１に係る冷蔵庫１００は、貯蔵品を冷蔵庫１００のスライド室１１に投入した段階において、凍結点以上の温度である第１の温度θ０まで急速冷却することができる。このため、冷却時間に対応する、図７の時間Ｔ０から時間Ｔ１までの期間及び図８の時間Ｔ３から時間Ｔ４までに期間を短くすることができる。その結果、従来よりも貯蔵品の平均温度を低くして、さらに貯蔵品の保存品質を上げる効果を持つ冷蔵庫を得ることができる。
【００３６】
実施の形態１に係る冷蔵庫１００は、スライド室１１を冷蔵室１Ａに配置した例を一例として説明したが、それに限定されるものではない。
【００３７】
実施の形態２．
図１０は、実施の形態２に係る冷蔵庫１００の冷気風路を示す鉛直断面図である。図１１は、図１０に示す冷蔵庫１００の風路構成と冷気の流れ（図中矢印）を示す斜視図である。図１１では、第１のダンパー１９を通過した冷気ＦＬ１及び第２のダンパーを通過した冷気ＦＬ２を示している。実施の形態１では、スライド室９には第１の風路１８及び第２の風路２７が連通しない構成を採用していたが、実施の形態２では、スライド室９にも第１の風路１８及び第２の風路２７が連通し、冷気量の調整できる構成となっている。なお、実施の形態２では、実施の形態１と共通する部分については同じ符号を付し、実施の形態１との相違点を中心に説明するものとする。
【００３８】
第１の風路１８は、設置空間Ｓとスライド室９とを連通するとともに、設置空間Ｓとスライド室１１とを連通する風路である。第１の風路１８には、出口となる第１の吹出口２６が２つ形成されている。すなわち、第１の風路１８には、冷気をスライド室９に吹き出す第１の吹出口２６Ａと、冷気をスライド室１１に吹き出す第１の吹出口２６Ｂとが形成されている。第１のダンパー１９が開いているときには、第１の風路１８からスライド室９及びスライド室１１に冷気が供給される。
【００３９】
第２の風路２７は、設置空間Ｓとスライド室９とを連通するとともに、設置空間Ｓとスライド室１１とを連通する風路である。第２の風路２７には、出口となる第２の吹出口２８が２つ形成されている。すなわち、第２の風路２７には、冷気をスライド室９に吹き出す第２の吹出口（図示省略）と、冷気をスライド室１１に吹き出す第２の吹出口（図示省略）が形成されている。第２のダンパー２９が開いているときには、第２の風路２７からスライド室９及びスライド室１１に冷気が供給される。
【００４０】
［実施の形態２に係る冷蔵庫１００の有する効果］
実施の形態２に係る冷蔵庫１００は、実施の形態１に係る冷蔵庫１００と同様の効果を有する。
【００４１】
実施の形態３．
図１２は、実施の形態３に係る冷蔵庫１００の風路構成と冷気の流れ（図中矢印）を示す斜視図である。図１２では、第１のダンパー１９を通過した冷気ＦＬ１及び第２のダンパーを通過した冷気ＦＬ２を示している。実施の形態１では、第１のダンパー１９及び第２のダンパー２９が配置された構成を採用していたが、実施の形態３では、第２のダンパーが設けられていない構成となっている。なお、実施の形態３では、実施の形態１と共通する部分については同じ符号を付し、実施の形態１との相違点を中心に説明するものとする。実施の形態３に係る冷蔵庫１００は、実施の形態１の冷蔵庫１００の第２のダンパー２９が配置されていない。それ以外の構成については、実施の形態１の冷蔵庫１００と同様である。
【００４２】
実施の形態３に係る冷蔵庫１００は、第２の風路２７に第２のダンパー２９が配置されていない。このため、第２の風路２７には、冷却ファン２０が運転している場合には、常時、スライド室１１に冷気が供給されることになる。
【００４３】
［実施の形態３に係る冷蔵庫１００の有する効果］
実施の形態３の冷蔵庫１００では、貯蔵室であるスライド室１１に連通する第２の風路よりスライド室１１に冷気が供給される。また、スライド室１１で冷気不足が生じると、第１の風路１８の第１のダンパー１９を制御して第１のダンパー１９を開き、第１の風路１８からスライド室１１に冷気が供給される。このため、スライド室１１において冷気不足が生じにくくなっている。
【符号の説明】
【００４４】
１  冷蔵室扉、１Ａ  冷蔵室、２  製氷室扉、３  切替室扉、３Ａ  切替室、４  冷凍室扉、４Ａ  冷凍室、５  野菜室扉、５Ａ  野菜室、６  冷蔵庫箱体、７  風路構成部品、８  棚、９  スライド室、１０  製氷用水タンク、１１  スライド室（貯蔵室）、１２  切替室ケース、１３  冷凍室ケース、１４  冷凍室ケース、１５  野菜室ケース、１６  野菜室ケース、１７  第３の風路、１８  第１の風路、１９  第１のダンパー、２０  冷却ファン、２１  熱交換器、２２  ヒータ、２３  ドレン用パイプ、２４  圧縮機、２５  温度検出センサー、２６  第１の吹出口、２６Ａ  第１の吹出口、２６Ｂ  第１の吹出口、２７  第２の風路、２８  第２の吹出口、２９  第２のダンパー、３０  ドアポケット、５０  制御装置、１００  冷蔵庫、ＦＬ１  冷気、ＦＬ２  冷気、Ｓ  設置空間。
【図１】
2017094058.tif 000003
【図２】
2017094058.tif 000004
【図３】
2017094058.tif 000005
【図４】
2017094058.tif 000006
【図５】
2017094058.tif 000007
【図６】
2017094058.tif 000008
【図７】
2017094058.tif 000009
【図８】
2017094058.tif 000010
【図９】
2017094058.tif 000011
【図１０】
2017094058.tif 000012
【図１１】
2017094058.tif 000013
【図１２】
2017094058.tif 000014
【国際調査報告】
2017094058.tif 000015
2017094058.tif 000016
2017094058.tif 000017
2017094058.tif 000018